【手続補正書】
【提出日】平成20年2月28日(2008.2.28)
【手続補正１】
【補正対象書類名】明細書
【補正対象項目名】特許請求の範囲
【補正方法】変更
【補正の内容】
【特許請求の範囲】
【請求項１】
アナログデータストリームと、サブサンプリングされ及び／又は変換されたディジタルデータとのうちの１つから導出された一連のディジタル測定値中に、十分な量の補充ディジタルデータを、ステガノグラフィック埋め込みする方法であって、かかる一連のディジタル測定値を、連続的な量子化され及び／又はエイリアシングされた要素からなる一組の出力データへと変換される一組の入力データからの関数変換を介して導出し、前記十分な量の補充ディジタルデータを一連の連続するビットへと変換し、及び、該連続するビットを、前記量子化され及び／又はエイリアシングされた要素中に導入して、僅かな調節を介して連続する要素を調整することにより、前記一連のディジタル測定値中に、その品質に実質的には影響を与えることなく前記補充データが埋め込まれる、ことを含むことからなる、方法。
【請求項２】
前記測定値が、メディアファイルを表し、前記埋め込まれた補充データが、前記メディアファイルの形式を変更することなく再生時において、該メディアファイルの形式に追加的なコンテンツを提供することからなる、請求項１に記載の方法。
【請求項３】
前記追加的なコンテンツが、追加の高帯域幅のディジタルチャネル、広告、対話型広告、ゲーム、追加的なプログラム要素、及びサブタイトルからなるグループから選択され、前記メディアが、オーディオか、イメージか、又はビデオであることからなる、請求項２に記載の方法。
【請求項４】
同じものを表す測定値又は要素又は係数の何れが変更されるべきか及びどのビットにより変更されるべきかを選択すると共に精度に対する影響を最小限にするよう構成された最下位ビットパリティエンコーディングにより前記埋め込みが行われることからなる、請求項１に記載の方法。
【請求項５】
前記選択することが、最小ノイズ基準と精神知覚的な基準とのうちの少なくとも一方に関して行われることからなる、請求項４に記載の方法。
【請求項６】
前記埋め込みが、パリティエンコーディング、高位パリティエンコーディング、可変データレート及び可変長エンコーディング、及びブラックボックスエンコーディングからなるグループから選択されたエンコーディング技法によって行われる、請求項１に記載の方法。
【請求項７】
前記エンコーディング技法が、ブラックボックスエンコーディングであり、
前記測定値への埋め込みが、適応型フィードバックの使用を介して、前記測定値の変換に使用される関数の詳細とは部分的に独立して行われることからなる、請求項６に記載の方法。
【請求項８】
ディジタルストリームの選択されたビットのみが、前記データ埋め込みの事前計算によって決定されたように変更されることからなる、請求項４に記載の方法。
【請求項９】
エンコードされた測定値のデータが、そのエンコーディングプロセスと全く逆のプロセスにより抽出される、請求項１に記載の方法。
【請求項１０】
アナログデータストリームと、サブサンプリングされ及び／又は変換されたディジタルデータとのうちの１つから導出された一連のディジタル測定値中に、十分な量の補充ディジタルデータを、ステガノグラフィック埋め込みするための装置であって、かかる一連のディジタル測定値を、連続的な量子化され及び／又はエイリアシングされた要素からなる一組の出力データへと変換される一組の入力データから導出するための関数変換手段と、前記十分な量の補充ディジタルデータを一連の連続するビットへと変換するための手段と、該連続するビットを、前記量子化され及び／又はエイリアシングされた要素中に導入して、僅かな調節を介して連続する要素を調整することにより、前記一連のディジタル測定値中に、その品質に実質的には影響を与えることなく前記補充データが埋め込まれる、エンコーダ手段とを、組み合わせて備えることからなる、装置。
【請求項１１】
前記測定値が、メディアファイルを表し、前記埋め込まれた補充データが、前記メディアファイルの形式を実質的には変更することなく再生時において、該メディアファイルの形式に追加的なコンテンツを提供する、請求項１０に記載の装置。
【請求項１２】
前記追加的なコンテンツが、追加の高帯域幅のディジタルチャネル、広告、対話型広告、ゲーム、追加的なプログラム要素、及びサブタイトルからなるグループから選択され、前記メディアが、オーディオか、イメージか、又はビデオであることからなる、請求項１１に記載の装置。
【請求項１３】
同じものを表す測定値又は要素又は係数の何れが変更されるべきか及びどのビットにより変更されるべきかを選択すると共に精度に対する影響を最小限にするよう構成された最下位ビットパリティエンコーディング手段により前記埋め込みが行われる、請求項１１に記載の装置。
【請求項１４】
前記選択することが、最小ノイズ基準と精神知覚的な基準とのうちの少なくとも一方に関して行われる、請求項１３に記載の装置。
【請求項１５】
前記埋め込みが、パリティエンコーディング、高位パリティエンコーディング、可変データレート及び可変長エンコーディング、及びブラックボックスエンコーディングを行うためのエンコーダからなるグループから選択されたエンコーディング手段によって行われる、請求項１０に記載の装置。
【請求項１６】
前記エンコーダが、ブラックボックスエンコーダであり、
前記測定値への埋め込みが、適応型フィードバック手段の使用を介して、前記測定値の変換に使用される関数変換手段の詳細とは部分的に独立して行われることからなる、請求項１５に記載の装置。
【請求項１７】
ディジタルストリームの選択されたビットのみが、前記データ埋め込みの事前計算を行うための手段によって決定されたように変更される、請求項１３に記載の装置。
【請求項１８】
前記エンコードされた測定値のデータを、前記エンコーダ手段により行われたエンコーディングプロセスと全く逆のプロセスにより抽出するよう構成されたデコーダが提供されている、請求項１０に記載の装置。
【請求項１９】
前記エンコーディング手段が、精神知覚的な基準に応答して、メディアファイルのより堅牢な部分のためのより高いビットレートにおいて、及びメディアファイルがデータの埋め込みに対してより高い感受性を有するより低いビットレートにおいて、データが埋め込めこまれる可変データレートエンコーディング手段である、請求項１４に記載の装置。
【請求項２０】
前記メディアファイルが、無音部分を含むオーディオファイルであり、データの埋め込みにより該無音部分に可聴歪みが加えられることになる最高レートにおいて、データを埋め込むための手段が提供される、請求項１９に記載の装置。
【請求項２１】
前記関数変換が、測定値データの一連の係数表現を提供するフーリエ、コサイン、サイン、及びウェーブレット変換からなるグループから選択されることからなる、請求項１に記載の方法。
【請求項２２】
前記変換され及び量子化され及び／又はエイリアシングされた一連の測定値の係数の下位ビットは、連続する補充データデータビットが該下位ビット内に埋め込まれることによって変更されることからなる、請求項２１に記載の方法。
【請求項２３】
変更されるべき前記係数の選択が、精神知覚的な情報に基づいて行われることからなる、請求項２２に記載の方法。
【請求項２４】
前記一連の測定値が、メディアファイル形式データと、ＰＣＭアルゴリズム、ＭＰ３等の圧縮されたオーディオファイル、のような測定値に関するオーディオ波形と、走査されたイメージか、ＦＡＸか、又はＪＰＥＧ等の圧縮されたイメージファイル、のようなイメージ測定値と、ディジタルムービーか、又はＭＰＥＧ等の圧縮されたビデオファイルのような時間的に変動するイメージ測定値と、機械制御データ、プロセス監視測定値、及び温度又は圧力測定値のような一連の物理的な測定値からなるデータとからなるグループから選択されることからなる、請求項１に記載の方法。
【請求項２５】
前記関数変換が、入力における連続的か又は離散的な一組のデータポイントＤから、出力における離散的な一組のデータポイントＤ’へと行われ、該Ｄ’に密接に関連付けられた変更されたバージョンＤ”が生成され、前記補充データのビットストリームのビットを使用して、ＤからＤ’への変換に固有の量子化及び／又はエイリアシング成分を変更するか又は調整することを介して、第２のか又は補充的なデータビットストリームをエンコードするという追加された特徴を該Ｄ”が有し、データの精度に対する影響が最小限で微少な状態になることからなる、請求項１に記載の方法。
【請求項２６】
前記入力データが、メディアファイル形式から導出され、前記補充データの前記エンコード及び埋め込みに伴う前記変更又は調整が、前記エンコードされたデータの再生時において、知覚的な体験に実質的には影響を与えないように、Ｄ’における十分に小さな変更によって行われることからなる、請求項２５に記載の方法。